(57)【要約】      （修正有）【課題】除湿機の排気口から排出された気体を、加熱ユニットと光触媒ユニット及び芳香ユニットに導入されて、加熱と殺菌及び除臭を行う室内空気処理装置を提供する。【解決手段】加熱ユニット１と、上記の加熱ユニットの一側に設置される光触媒ユニット２と、上記の光触媒ユニットの一側に設置される芳香ユニット３と、該加熱ユニットと該光触媒ユニット及び該芳香ユニットに連接される電源ユニット４と、除湿ユニットが含有され、また、除湿ユニットから排出された気体が該加熱ユニットと該光触媒ユニット及び該芳香ユニットを介して、加温と殺菌及び除臭される。【選択図】図２
0003140951.tif 000002
【実用新案登録請求の範囲】
【請求項１】
加熱ユニットと、
上記の加熱ユニットの一側に設置される光触媒ユニットと、
上記の光触媒ユニットの一側に設置される芳香ユニットと、
該加熱ユニットと該光触媒ユニット及び該芳香ユニットに連接される電源ユニットと、除湿ユニットとが含有され、
また、除湿ユニットから排出された気体が該加熱ユニットと該光触媒ユニット及び該芳香ユニットを介して、加温と殺菌及び除臭されることを特徴とする、室内空気処理装置。
【請求項２】
該加熱ユニットと該光触媒ユニット及び該芳香ユニットは、筐体の中に設置され、また、該筐体の両端面に、それぞれ複数の貫通孔が形成され、また、該筐体上に複数の結合部があることを特徴とする、請求項１に記載の室内空気処理装置。
【請求項３】
該加熱ユニットは、セラミック板材であることを特徴とする請求項１に記載の室内空気処理装置。
【考案の詳細な説明】
【技術分野】
【０００１】
本考案は、室内空気処理装置に関し、特に、除湿機から排出された気体に対して加温と殺菌及び除臭を行うものに関する。
【背景技術】
【０００２】
一般の湿気や雨が多い環境において、或いは、冬場のじとじと湿っぽい期間や梅雨季節において、民衆が除湿機で除湿することにより、室内の快爽を保持して、また、衣服の黴臭いやフロアのべたべた等を防止する。
【０００３】
また、一般の従来の除湿機は、湿度や温度等の制御や定時オン／オフの設計を強調するが、前記の設計である除湿機は定時除湿機能だけを有し、除湿機が所定の時間に到達すると、オフするか、所定の湿度や温度になるとオフするか、または、集水箱に水が満ちると、該除湿機が稼働を停止するかのように、除湿機から排出した気体に対して処理することがない。また、一般として、除湿の時に生成した気体を直接に除湿機から排出したため、除湿機が所定の時間を使用した後、その内部に垢や細菌が生成して、そして、除湿機から排出した気体が空気を汚染する細菌や異味とともに排出されて、室内環境の空気品質に悪影響を与える。
【考案の開示】
【考案が解決しようとする課題】
【０００４】
本考案の主な目的は、除湿機の排気口から排出された気体を、加熱ユニットと光触媒ユニット及び芳香ユニットに導入されて、加温と殺菌及び除臭の効果が得られる。
【課題を解決するための手段】
【０００５】
本考案は、上記の目的を達成するための室内空気処理装置であり、加熱ユニットと、該加熱ユニットの一側に設けられた光触媒ユニットと、該光触媒ユニットの一側に設けられた芳香ユニットと、該加熱ユニットと該光触媒ユニット及び該芳香ユニットに連接された電源ユニットが含有され、また、該加熱ユニットと該光触媒ユニット及び該芳香ユニットは、除湿機の内部に設置される。
【考案を実施するための最良の形態】
【０００６】
図１は、本考案の構造ブロック概念図である。図のように、本考案は室内空気処理装置であり、加熱ユニット１と光触媒ユニット２、芳香ユニット３、電源ユニット４及び除湿機５から構成される。
【０００７】
上記の加熱ユニット１は、セラミック板材や複数のコイル式ヒートパイプである。
【０００８】
該光触媒ユニット２は、上記の加熱ユニット１の一側に設置され、少なくとも光触媒層２１と、該光触媒層２１に対応する紫外線ランプ２２が含有される。
【０００９】
該芳香ユニット３は、上記の光触媒ユニット２の一側に設置され、また、液体芳香材質や固体芳香材質である。
【００１０】
該電源ユニット４は、該加熱ユニット１と該光触媒ユニット２及び該芳香ユニット３に連接される。
【００１１】
該除湿機５から排出された気体は、該加熱ユニット１と該光触媒ユニット２及び該芳香ユニット３を介して、加温や殺菌及び除臭の効果が得られる。上記の構造により、新規の室内空気処理装置が構成される。
【００１２】
図２と３は、それぞれ、本考案の第１の実施例の立体分解概念図と、本考案の第１の実施例の使用状態断面概念図である。図のように、本考案を使用する時、加熱ユニット１と光触媒ユニット２及び芳香ユニット３が筐体６の中に設置され、また、電源ユニット４が該筐体６の一側から露出するように設置され、そして、該筐体６の両端面に、それぞれ複数の貫通孔６１、６１ａがあり、また、該筐体６に複数の結合部６２が設けられる。組み立てる時、該筐体６上の複数の結合部６２により除湿機５の排気口５１に設置される。
【００１３】
本考案を使用する時、該電源ユニット４により、該加熱ユニット１と該光触媒ユニット２及び該芳香ユニット３に対して外部電力を供給し、該除湿機５を駆動する時、除湿済みの気体は該排気口５１から排出されて、該筐体６の一端面に位置する各貫通孔６１にガイドされ、該気体は、まず、該加熱ユニット１を介して加温されてから、該光触媒ユニット２を介して加温され、また、加温済みの気体は紫外線ランプ２２を照射する光触媒層２１を介して殺菌し、最後に、加温と殺菌された後の気体は、該芳香ユニット３を介して除臭されてから、該筐体６のもう一端面に位置する各貫通孔６１aから排出される。これにより、該除湿機５から、加温と殺菌及び除臭がされた気体が排出される。
【００１４】
図４は、本考案の第２の実施例の使用状態断面概念図である。本考案は、図のように、加熱ユニット１の一側に電源ユニット４が連接されるファン１１を設置して、除湿機５の気体が筐体６のもう一端面に位置する各貫通孔６１aから排出することに補助しても良い。
【００１５】
図５は、本考案の第３の実施例の使用状態断面概念図である。本考案は、図のように運用する時、加熱ユニット１と光触媒ユニット２及び芳香ユニット３を除湿機５の中に設置し、該加熱ユニット１は、排気口５１の内側に対応するようにして、また、該芳香ユニット３は該排気口５１の外側に対応し、そして、電源ユニット４は該除湿機５の電源に連接される。
【００１６】
使用する時、該除湿機５で除湿された気体を該加熱ユニット１を介して加温され、また、該光触媒ユニット２を介して、加温済みの気体を紫外線ランプ２２を照射する光触媒層２１を介して殺菌され、最後に、加温済みと殺菌済みの気体は、該芳香ユニット３を介して除臭されてから、該除湿機５の排気口５１から排出される。これにより、該除湿機５から加温済み、殺菌済み、そして、除臭済みの気体が排出される。
【００１７】
図６と７は、それぞれ、本考案の第４の実施例の立体構造概念図と本考案の第４の実施例の使用状態概念図である。本考案は、図のように、除湿機８がケーシング７に設置され、また、該除湿機８は該筐体７の外部に設けられた吸気管８１と排気管８２及び出水管８３があり、また、加熱ユニット１は、該排気管８２と対応するように該ケーシング７の中に設置され、光触媒ユニット２は該加熱ユニット１の一側に設置され、そして、芳香ユニット３は、該光触媒ユニット２の一側に設置される。
【００１８】
使用する時、該ケーシング７は、浴室に設けられた二つの手洗い台９の間に隠されるように設置され、また、該出水管８３が浴室中の排水孔に設置され、該吸気管８１と該排気管８２は、必要に応じて所定の位置に設置され、また、使用する時、該除湿機８によって除湿された後気体を該加熱ユニット１を介して加温され、また、該光触媒ユニット２を介して殺菌され、最後に、加温済みと殺菌済みの気体は、該芳香ユニット３によって除臭されてから、該除湿機８の排気管８２から排出する。これにより、該除湿機８から加温済み、殺菌済み、そして除臭済みの気体が排出される。
【００１９】
以上のように、本考案に係わる室内空気処理装置によれば、有効に従来の諸欠点を改善でき、除湿機の排気口から、該除湿機が排出された気体が加熱ユニットと光触媒ユニット及び芳香ユニットに案内して、加温と殺菌及び除臭の効果が得られ、そのため、本考案はより進歩的かつより実用的で、法に従って実用新案登録請求を出願する。
【００２０】
以上は、ただ本考案のより良い実施例であり、本考案はそれによって制限されることが無く、本考案に係わる実用新案登録請求の範囲や明細書の内容に基づいて行った等価の変更や修正は、全てが本考案の実用新案登録請求の範囲内に含まれる。
【図面の簡単な説明】
【００２１】
【図１】本考案の構造ブロック概念図
【図２】本考案の第１の実施例の立体分解概念図
【図３】本考案の第１の実施例の使用状態断面概念図
【図４】本考案の第２の実施例の使用状態断面概念図
【図５】本考案の第３の実施例の使用状態断面概念図
【図６】本考案の第４の実施例の立体構造概念図
【図７】本考案の第４の実施例の使用状態概念図
【符号の説明】
【００２２】
１        加熱ユニット
１１      ファン
２        光触媒ユニット
２１      光触媒層
２２      紫外線ランプ
３        芳香ユニット
４        電源ユニット
５        除湿機
５１      排気口
６        筐体
６１      貫通孔
６１ａ    貫通孔
６２      結合部
７        ケーシング
８        除湿機
８１      吸気管
８２      排気管
８３      出水管
９        手洗い台
【図１】
0003140951.tif 000003
【図２】
0003140951.tif 000004
【図３】
0003140951.tif 000005
【図４】
0003140951.tif 000006
【図５】
0003140951.tif 000007
【図６】
0003140951.tif 000008
【図７】
0003140951.tif 000009